(57)【要約】【課題】所定の空間内の携帯端末のユーザがミニブログに投稿されたつぶやきを即座に共有することができる携帯端末及び方法を提供すること。【解決手段】携帯端末２０は、ミニブログの投稿を受け付ける投稿受付部２４１と、携帯端末２０の位置情報を取得する位置情報取得部２３と、投稿受付部２４１が投稿を受け付けた場合に、携帯端末２０の位置から所定範囲内で他の携帯端末２０が存在するとき、他の携帯端末２０において、ミニブログの投稿の際に使用されているタグを検索するタグ検索部２４２と、タグ検索部２４２がタグを検索できた場合に、他の携帯端末２０において使用されているタグを取得するタグ取得部２４３と、タグ検索部２４２が前記タグを検索できなかった場合に、新規にタグを生成するタグ生成部２４４と、タグ取得部２４３により取得されたタグ又はタグ生成部２４４により生成されたタグを投稿の内容に付与するタグ付与部２４５と、を備える。【選択図】図２
2011229019.tif 000002
【特許請求の範囲】
【請求項１】
所定の空間内の携帯端末同士でミニブログのタグを共有する携帯端末であって、
前記ミニブログの投稿を受け付ける投稿受付手段と、
前記携帯端末の位置を示す位置情報を取得する位置情報取得手段と、
前記投稿受付手段が投稿を受け付けた場合に、前記携帯端末の位置から所定範囲内に他の携帯端末が存在するとき、前記他の携帯端末において、ミニブログの投稿の際に使用されているタグを検索するタグ検索手段と、
前記タグ検索手段が前記タグを検索できた場合に、前記他の携帯端末において使用されているタグを取得するタグ取得手段と、
前記タグ検索手段が前記タグを検索できなかった場合に、新規にタグを生成するタグ生成手段と、
前記タグ取得手段により取得されたタグ又は前記タグ生成手段により生成されたタグを前記投稿の内容に付与するタグ付与手段と、を備える携帯端末。
【請求項２】
前記携帯端末の位置から所定範囲内で前記ミニブログの投稿を行っている他の携帯端末が存在する場合、前記タグ検索手段がタグを検索できなかったときに、前記前記タグ生成手段により生成されたタグを前記他の携帯端末に送信するタグ送信手段をさらに備える請求項１に記載の携帯端末。
【請求項３】
前記ミニブログの投稿を行っている他の携帯端末のうち、一の携帯端末に対して、通信可能か否かを判定する通信可否判定手段と、
前記通信可否判定手段により前記一の携帯端末に対する通信が可能ではないと判定された場合に、前記一の携帯端末を、前記一の携帯端末とは異なる携帯端末に変更する判定端末変更手段と、をさらに備える請求項２に記載の携帯端末。
【請求項４】
前記通信可否判定手段により前記一の携帯端末に対する通信が可能ではないと判定された場合に、前記タグを変更するタグ変更手段をさらに備え、
前記タグ送信手段は、前記タグ変更手段により変更されたタグを前記他の携帯端末に送信する請求項３に記載の携帯端末。
【請求項５】
前記所定の空間内に設けられたデジタルサイネージ装置に通信可能に接続され、
前記タグ送信手段は、前記タグ生成手段により生成されたタグを、前記デジタルサイネージ装置に送信する請求項２から４のいずれかに記載の携帯端末。
【請求項６】
携帯端末が所定の空間内の携帯端末同士でミニブログのタグを共有するタグ共有方法であって、
前記携帯端末が、前記ミニブログの投稿を受け付ける投稿受付ステップと、
前記携帯端末が、自身の位置を示す位置情報を取得する位置情報取得ステップと、
前記携帯端末が、前記投稿受付ステップが投稿を受け付けた場合に、自身の位置から所定範囲内に他の携帯端末が存在するとき、前記他の携帯端末において、ミニブログの投稿の際に使用されているタグを検索するタグ検索ステップと、
前記携帯端末が、前記タグ検索ステップが前記タグを検索できた場合に、前記他の携帯端末において使用されているタグを取得するタグ取得ステップと、
前記携帯端末が、前記タグ検索ステップが前記タグを検索できなかった場合に、新規にタグを生成するタグ生成ステップと、
前記携帯端末が、前記タグ取得ステップにより取得されたタグ又は前記タグ生成ステップにより生成されたタグを前記投稿の内容に付与するタグ付与ステップと、を実行するタグ共有方法。
【発明の詳細な説明】
【技術分野】
【０００１】
本発明は、携帯端末及びタグ共有方法に関する。
【背景技術】
【０００２】
近年、メールや電子掲示板（ＢＢＳ：Ｂｕｌｌｅｔｉｎ  Ｂｏａｒｄ  Ｓｙｓｔｅｍ）やブログといったコミュニケーションツールの他に、ミニブログといったコミュニケーションツールが利用されている（例えば、特許文献１参照）。
【０００３】
ミニブログは、個々のユーザが所定の文字数以下のコメントや、このコメントに対するレスポンスをつぶやきとして発信するコミュニケーションツールである。また、ミニブログでは、ユーザが指定したユーザのつぶやきをリアルタイムに確認することができ、ユーザは、このつぶやきに対して応答したり、自らつぶやきを発信したりすることができる。このように、ミニブログでは、自由につぶやきを発信したりすることで、メールや、ＢＢＳ等に比べて、ユーザ間にゆるいコミュニケーションが生まれる。
【０００４】
ところで、ミニブログには、自由につぶやきを発信する機能の他に、つぶやきに対してタグを付与することにより、同一のタグが付与されたつぶやきをグルーピングする機能がある。よって、ミニブログでは、複数のユーザそれぞれのつぶやきに対して同一のタグを付与することにより、つぶやきをユーザ間でグルーピングすることができる。
【先行技術文献】
【特許文献】
【０００５】
【特許文献１】特開２０１０−０６６９０９号公報
【発明の概要】
【発明が解決しようとする課題】
【０００６】
しかしながら、複数ユーザでミニブログに投稿されたつぶやきをグルーピングするためには、ユーザ間でタグを共有する必要がある。このため、同一の電車やバスといった所定の空間内に居合わせた複数のユーザが、携帯端末を利用して、即座につぶやきを共有しようとしても、これら複数のユーザは、互いにタグを知る手段がないため、つぶやきに付与するタグを共有することができない。
【０００７】
本発明は、所定の空間内の携帯端末のユーザがミニブログに投稿されたつぶやきを即座に共有することができる携帯端末を提供することを目的とする。
【課題を解決するための手段】
【０００８】
（１）所定の空間内の携帯端末同士でミニブログのタグを共有する携帯端末であって、前記ミニブログの投稿を受け付ける投稿受付手段と、前記携帯端末の位置を示す位置情報を取得する位置情報取得手段と、前記投稿受付手段が投稿を受け付けた場合に、前記携帯端末の位置から所定範囲内に他の携帯端末が存在するとき、前記他の携帯端末において、ミニブログの投稿の際に使用されているタグを検索するタグ検索手段と、前記タグ検索手段が前記タグを検索できた場合に、前記他の携帯端末において使用されているタグを取得するタグ取得手段と、前記タグ検索手段が前記タグを検索できなかった場合に、新規にタグを生成するタグ生成手段と、前記タグ取得手段により取得されたタグ又は前記タグ生成手段により生成されたタグを前記投稿の内容に付与するタグ付与手段と、を備える携帯端末。
【０００９】
この発明によれば、携帯端末は、タグ検索手段により、他の携帯端末において、ミニブログの投稿の際に使用されているタグを検索する。また、携帯端末は、タグ検索手段がタグを検索できた場合、タグ取得手段により、他の携帯端末において使用されているタグを取得し、タグ検索手段がタグを検索できなかった場合に、新規にタグを生成する。また、携帯端末は、タグ取得手段により取得されたタグ又はタグ生成手段により生成されたタグを投稿の内容にタグを付与する。
【００１０】
よって、携帯端末は、ミニブログの投稿の際に、投稿の内容に対して、取得したタグ又は生成したタグを付与できるので、ユーザは、このタグを利用して、所定の空間内の携帯端末からミニブログに投稿されたつぶやきを即座に共有することができる。
【００１１】
（２）前記携帯端末の位置から所定範囲内で前記ミニブログの投稿を行っている他の携帯端末が存在する場合、前記タグ検索手段がタグを検索できなかったときに、前記前記タグ生成手段により生成されたタグを前記他の携帯端末に送信するタグ送信手段をさらに備える（１）に記載の携帯端末。
【００１２】
この発明によれば、携帯端末は、タグ送信手段により、タグ生成手段が生成したタグを他の携帯端末に送信するので、他の携帯端末においてもタグを共有することができる。
【００１３】
（３）前記ミニブログの投稿を行っている他の携帯端末のうち、一の携帯端末に対して、通信可能か否かを判定する通信可否判定手段と、前記通信可否判定手段により前記一の携帯端末に対する通信が可能ではないと判定された場合に、前記一の携帯端末を、前記一の携帯端末とは異なる携帯端末に変更する判定端末変更手段と、をさらに備える（２）に記載の携帯端末。
【００１４】
この発明によれば、携帯端末は、判定端末変更手段により、一の携帯端末に対する通信が可能ではないと判定された場合に、一の携帯端末を異なる携帯端末に変更する。よって、携帯端末は、所定の空間内に存在する複数の携帯端末のいずれかを通信可否を行う対象とすることができる。
【００１５】
（４）前記通信可否判定手段により前記一の携帯端末に対する通信が可能ではないと判定された場合に、前記タグを変更するタグ変更手段をさらに備え、前記タグ送信手段は、前記タグ変更手段により変更されたタグを前記他の携帯端末に送信する（３）に記載の携帯端末。
【００１６】
この発明によれば、携帯端末は、タグ変更手段により、通信可否判定手段が一の携帯端末に対する通信が可能ではないと判定した場合にタグを変更する。つまり、一の携帯端末に対する通信が可能ではない場合、この一の携帯端末は、所定の空間外に位置する。よって、携帯端末は、タグ変更手段により、タグを変更することにより、所定の空間外の一の携帯端末がタグを知ることができないようにして、所定の空間内で投稿されたつぶやきを閲覧できない状態とすることができる。
【００１７】
（５）前記所定の空間内に設けられたデジタルサイネージ装置に通信可能に接続され、前記タグ送信手段は、前記タグ生成手段により生成されたタグを、前記デジタルサイネージ装置に送信する（２）から（４）のいずれかに記載の携帯端末。
【００１８】
この発明によれば、携帯端末は、タグ送信手段により、タグ生成手段が生成したタグをデジタルサイネージ装置に送信する。よって、デジタルサイネージ装置においても、デジタルサイネージに対してタグを表示できるので、他の携帯端末のユーザは、所定の空間において、ミニブログのタグが指定されていることを容易に確認することができる。
【００１９】
（６）携帯端末が所定の空間内の携帯端末同士でミニブログのタグを共有するタグ共有方法であって、前記携帯端末が、前記ミニブログの投稿を受け付ける投稿受付ステップと、前記携帯端末が、自身の位置を示す位置情報を取得する位置情報取得ステップと、前記携帯端末が、前記投稿受付ステップが投稿を受け付けた場合に、自身の位置から所定範囲内に他の携帯端末が存在するとき、前記他の携帯端末において、ミニブログの投稿の際に使用されているタグを検索するタグ検索ステップと、前記携帯端末が、前記タグ検索ステップが前記タグを検索できた場合に、前記他の携帯端末において使用されているタグを取得するタグ取得ステップと、前記携帯端末が、前記タグ検索ステップが前記タグを検索できなかった場合に、新規にタグを生成するタグ生成ステップと、前記携帯端末が、前記タグ取得ステップにより取得されたタグ又は前記タグ生成ステップにより生成されたタグを前記投稿の内容に付与するタグ付与ステップと、を実行するタグ共有方法。
【００２０】
このような構成によれば、当該タグ共有方法を携帯端末が実行することにより、（１）と同様の効果が期待できる。
【発明の効果】
【００２１】
本発明によれば、所定の空間内の携帯端末のユーザがミニブログに投稿されたつぶやきを即座に共有することができる。
【図面の簡単な説明】
【００２２】
【図１】本実施形態に係るミニブログシステムの概要を示す図である。
【図２】本実施形態に係る携帯端末の機能構成を示す図である。
【図３】本実施形態に係る携帯端末において、つぶやきを投稿するまでの処理の流れを示すフローチャートである。
【図４】本実施形態に係る携帯端末において、通信判定の対象となる携帯端末が変更されるまでの処理の流れを示すフローチャートである。
【図５】本実施形態に係る携帯端末において、表示部のつぶやき入力欄に取得又は生成されたタグが表示された例を示す図である。
【発明を実施するための形態】
【００２３】
以下、本発明の実施形態について図を参照しながら説明する。
【００２４】
図１は、本実施形態に係るミニブログシステム１の概要を示す図である。
ミニブログシステム１は、所定の空間内の携帯端末２０同士で、ミニブログにおけるつぶやきの投稿をグルーピングするタグを共有させるシステムである。このミニブログシステム１では、所定の空間内の携帯端末２０同士で、ミニブログのタグが共有されるので、所定の空間内の携帯端末２０は、このタグが付与されたつぶやきを閲覧することができる。ここで、タグは、例えば、「＃」と英数字との組合せで表される文字列である。
【００２５】
このミニブログシステム１は、ミニブログサービスを提供するミニブログサーバ１０と、このミニブログサーバ１０にネットワークＮを介して接続される複数の携帯端末２０と、を備える。
【００２６】
ミニブログサーバ１０は、携帯端末２０やＰＣ（図示省略）等から投稿されたつぶやきを管理するサーバである。このミニブログサーバ１０は、携帯端末２０やＰＣから、つぶやきの投稿を受け付けたり、つぶやきの閲覧要求を行った携帯端末２０やＰＣに対して、投稿されたつぶやきを提供したりする。例えば、このミニブログサーバ１０は、携帯端末２０から、タグが指定された閲覧要求を受け付けると、このタグが付されたつぶやきを携帯端末２０に提供する。
【００２７】
図２は、本実施形態に係る携帯端末２０の機能構成を示す図である。
携帯端末２０は、操作部２１と、表示部２２と、位置情報取得部２３と、制御部２４と、記憶部２５と、を備える。
【００２８】
操作部２１は、例えば、キーボード及びポインティング・デバイス（マウス、トラッキングボール等）により実装される。
表示部２２は、例えば、液晶ディスプレイやプラズマディスプレイ等の各種ディスプレイにより実装される。
【００２９】
位置情報取得部２３は、ＧＰＳ（Ｇｌｏｂａｌ  Ｐｏｓｉｔｉｏｎｉｎｇ  Ｓｙｓｔｅｍ）機能により携帯端末２０の位置を示す位置情報を取得する。具体的には、位置情報取得部２３は、ＧＰＳ通信のための周波数帯（例えば、１．５ＧＨｚ）でＧＰＳ衛星からＧＰＳ情報を受信し、このＧＰＳ情報に所定の処理を行い、処理後の信号を携帯端末２０の位置情報とする。位置情報取得部２３は、位置情報を制御部２４に供給する。
【００３０】
制御部２４は、ＣＰＵ（Ｃｅｎｔｒａｌ  Ｐｒｏｃｅｓｓｉｎｇ  Ｕｎｉｔ）等により構成されており、携帯端末２０の各処理動作の制御や情報の通信制御を行う。制御部２４は、投稿受付手段としての投稿受付部２４１と、タグ検索手段としてのタグ検索部２４２と、タグ取得手段としてのタグ取得部２４３と、タグ生成手段としてのタグ生成部２４４と、タグ付与手段としてのタグ付与部２４５と、タグ送信手段としてのタグ送信部２４６と、通信可否判定手段としての通信可否判定部２４７と、判定端末変更手段としての端末変更部２４８と、タグ変更手段としてのタグ変更部２４９と、投稿内容送信部２５０と、投稿内容閲覧部２５１と、を備える。
【００３１】
投稿受付部２４１は、携帯端末２０のユーザから、操作部２１を介して、ミニブログに対するつぶやきの投稿を受け付ける。
【００３２】
タグ検索部２４２は、投稿受付部２４１が投稿を受け付けた場合に、携帯端末２０の位置から所定範囲内に他の携帯端末２０が存在するとき、他の携帯端末２０において、ミニブログの投稿の際に使用されているタグを検索する。
【００３３】
具体的には、タグ検索部２４２は、投稿受付部２４１により、ミニブログの投稿を受け付けた場合、記憶部２５にミニブログのタグが一時的に記憶されているか判定する。タグ検索部２４２は、記憶部２５にミニブログが一時的に記憶されていると判定した場合、タグ取得部２４３に処理を移す。また、タグ検索部２４２は、記憶部２５にミニブログのタグが一時的に記憶されていないと判定した場合、位置情報取得部２３に位置情報を取得させ、取得させた携帯端末２０の位置情報が示す位置から所定範囲内に他の携帯端末２０が存在するか否かを判定する。続いて、タグ検索部２４２は、他の携帯端末２０が存在する場合に、他の携帯端末２０がミニブログの投稿の際に使用しているタグを検索する。
【００３４】
タグ取得部２４３は、タグ検索部２４２が、記憶部２５にミニブログのタグが一時的に記憶されていると判定した場合に、記憶部２５に記憶されているタグを取得する。また、タグ取得部２４３は、タグ検索部２４２が他の携帯端末２０において使用されているタグを検索できた場合に、他の携帯端末２０において使用されているタグを取得する。
【００３５】
タグ生成部２４４は、タグ検索部２４２が他の携帯端末２０において使用されているタグを検索できなかった場合に、新規にタグを生成する。つまり、タグ検索部２４２がタグを検索できなかった場合、他の携帯端末２０では、ミニブログの投稿が行われていない状態であるため、携帯端末２０は、所定の空間内で最初にミニブログを投稿する端末となる。このような場合において、タグ生成部２４４は、新規にタグを生成する。なお、タグ生成部２４４は、既に他ユーザに利用されているタグと重複しないように、例えば、時刻や位置情報等がタグに含まれるようにタグを生成する。
【００３６】
タグ付与部２４５は、タグ取得部２４３により取得されたタグ又はタグ生成部２４４により生成されたタグをミニブログの投稿の内容に付与する。タグ付与部２４５は、例えば、表示部２２に表示されたウェブブラウザ２２０のつぶやき入力欄２２１に、タグ生成部２４４により生成されたタグを付与（入力）する。
【００３７】
図５は、携帯端末２０において、表示部２２につぶやき入力欄２２１に取得又は生成されたタグが表示された例を示す図である。図５では、表示部２２に表示されているウェブブラウザ２２０に、つぶやきを入力するためのつぶやき入力欄２２１が表示されている。また、図５では、タグ付与部２４５により、つぶやき入力欄２２１により入力されたタグ、すなわち先頭の文字が「＃」で始まるタグを確認できる。
【００３８】
図１に戻り、タグ送信部２４６は、タグ生成部２４４により生成されたタグ又はタグ変更部２４９により変更されたタグを、通信部（図示せず）を介して、位置情報取得部２３により取得された位置情報が示す位置から所定範囲内の他の携帯端末２０に送信する。
【００３９】
なお、タグ送信部２４６は、タグ生成部２４４により生成されたタグ又はタグ変更部２４９により変更されたタグを、他の携帯端末２０に送信することとしたが、これに限らない。例えば、所定の空間内に、携帯端末２０に通信可能であって、デジタルサイネージを備えるデジタルサイネージ装置を設けておき、タグ送信部２４６は、タグ生成部２４４により生成されたタグ又はタグ変更部２４９により変更されたタグを、このデジタルサイネージ装置に送信することとしてもよい。そして、デジタルサイネージ装置では、このタグを受信したことに応じて、このタグをデジタルサイネージに表示してもよい。
【００４０】
通信可否判定部２４７は、ミニブログを行っている他の携帯端末２０のうち、一の携帯端末と通信可能か否かを定期的に判定する。具体的には、通信可否判定部２４７は、近距離通信により、所定範囲内に、一の携帯端末が存在するか否かを定期的に判定することで、一の携帯端末と通信可能か否かを判定する。ここで、所定範囲は、例えば数メートルから数十メートルである。
【００４１】
端末変更部２４８は、通信可否判定部２４７により、一の携帯端末と通信可能ではないと判定された場合、通信を行う一の携帯端末を、通信可能である他の携帯端末に変更する。
【００４２】
以下に、通信可否判定部２４７及び端末変更部２４８の処理について、より詳細に説明する。
まず、携帯端末２０は、自身を通信可否の判定対象とする他の携帯端末２０が一台となるように制御する。つまり、携帯端末２０は、この携帯端末２０が判定対象とする他の携帯端末２０を示す第１判定対象情報と、この携帯端末２０が他の携帯端末２０から通信可否の判定の対象となっているかを示す第２判定対象情報と、を記憶部２５に記憶する。第１判定対象情報は、携帯端末２０が、判定対象とする他の携帯端末２０と所定時間にわたって通信ができない場合、変更される。また、第２判定対象情報は、携帯端末２０が、他の携帯端末２０から所定時間にわたって通信可否の判定を行われなかった場合、消去される。
【００４３】
通信可否判定部２４７は、まず、他の携帯端末２０が、上述の第２判定対象情報を記憶しているかを判定し、判定対象とする他の携帯端末２０を特定し、第１判定対照情報を記憶部２５に記憶させる。続いて、通信可否判定部２４７は、記憶部２５に記憶されている第１判定対象情報を参照して判定対象とする他の携帯端末２０を特定し、判定対象とする他の携帯端末２０に対して、通信可能か否かを定期的に判定する。ここで、判定対象とする他の携帯端末２０と通信可能ではないと判定した場合、端末変更部２４８は、判定対象とする他の携帯端末２０を変更するとともに、第１判定対象情報を、変更後の他の携帯端末２０の識別情報に変更する。
【００４４】
例えば、所定の空間内に、携帯端末２０として、携帯端末２０Ａ、２０Ｂ、２０Ｃ及び２０Ｄが存在する場合を考える。
ここで、携帯端末２０Ａの通信可否判定部２４７は、携帯端末２０Ｂを通信可否の判定対象とし、携帯端末２０Ｂの通信可否判定部２４７は、携帯端末２０Ｃを通信可否の判定対象とし、携帯端末２０Ｃの通信可否判定部２４７は、携帯端末２０Ｄを通信可否の判定対象とし、携帯端末２０Ｄの通信可否判定部２４７は、携帯端末２０Ａを通信可否の判定対象とするものとする。この場合、携帯端末２０Ａ、２０Ｂ、２０Ｃ及び２０Ｄそれぞれは、第１判定対象情報及び第２判定対象情報を記憶部２５に記憶している状態になる。
【００４５】
ここで、携帯端末２０Ｃが所定の空間から離れると、携帯端末２０Ａ、２０Ｂ、２０Ｄは、携帯端末２０Ｃと通信ができなくなる。すると、携帯端末２０Ｄは、所定時間にわたって携帯端末２０Ｃから通信可否の判定をされなくなるので、記憶部２５に記憶されている第２判定対象情報を消去する。一方、携帯端末２０Ｂの端末変更部２４８は、通信可否の判定対象を携帯端末２０Ｃから携帯端末２０Ｄに変更するとともに、第１判定対照情報を変更する。このように、本実施形態では、それぞれの携帯端末２０で連鎖的に通信可否を判定することで、所定の空間内における携帯端末２０の通信可否の判定を行う。
なお、本実施形態では、携帯端末２０は、この携帯端末２０を通信可否の判定対象とする他の携帯端末２０が一台となるように制御することとしたが、これに限らず、この携帯端末２０を通信可否の判定対象とする他の携帯端末２０が複数台であってもよい。
【００４６】
タグ変更部２４９は、一の携帯端末に対する通信が可能ではないと判定された場合に、タグを変更する。
【００４７】
投稿内容送信部２５０は、タグ付与部２４５によりタグが付与され、ユーザにより記事情報が入力されたつぶやきをミニブログサーバ１０に送信する。
【００４８】
投稿内容閲覧部２５１は、所定の空間内で他のユーザが投稿したつぶやきを表示部２２に表示させる。具体的には、投稿内容閲覧部２５１は、タグ取得部２４３により取得されたタグ又はタグ生成部２４４により生成されたタグが付与されたつぶやきを、ミニブログサーバ１０から取得し、このつぶやきを表示部２２に表示させる。
【００４９】
記憶部２５は、携帯端末２０を機能させるための各種プログラム（図示省略）、本発明の機能を実行するプログラム（図示省略）等を記憶する。また、記憶部２５は、タグ取得部２４３により取得されたタグ、タグ生成部２４４により生成されたタグ又はタグ変更部２４９により変更されたタグを記憶する。つまり、記憶部２５は、所定の空間内の携帯端末同士で共有されるタグを記憶する。
【００５０】
図３は、本実施形態に係る携帯端末２０において、つぶやきを投稿するまでの処理の流れを示すフローチャートである。
【００５１】
ステップＳ１では、制御部２４（投稿受付部２４１）は、ミニブログに対するつぶやきの投稿を受け付ける。
ステップＳ２では、制御部２４（タグ検索部２４２）は、記憶部２５にミニブログのタグが記憶されているか否か判定する。タグ検索部２４２は、この判定がＹＥＳの場合、ステップＳ４に処理を移し、この判定がＮＯの場合、ステップＳ３に処理を移す。
【００５２】
ステップＳ３では、制御部２４（タグ検索部２４２）は、位置情報取得部２３に携帯端末２０の位置を示す位置情報を取得させる。
ステップＳ４では、制御部２４（タグ取得部２４３）は、記憶部２５に記憶されているタグを取得する。制御部２４は、その後、処理をステップＳ９に移す。
【００５３】
ステップＳ５では、制御部２４（タグ検索部２４２）は、ステップＳ３にて取得された携帯端末２０の位置情報が示す位置から所定範囲内に、ミニブログを行っている他の携帯端末２０が存在するか否かを判定する。タグ検索部２４２は、この判定がＹＥＳの場合、ステップＳ６に処理を移し、この判定がＮＯの場合、ステップＳ７に処理を移す。
ステップＳ６では、制御部２４（タグ取得部２４３）は、他の携帯端末２０において使用されているタグを、他の携帯端末２０から取得する。
【００５４】
ステップＳ７では、制御部２４（タグ生成部２４４）は、新規にタグを生成する。
ステップＳ８では、制御部２４（タグ送信部２４６）は、ステップＳ７にて生成されたタグを、ステップＳ３にて取得された携帯端末２０の位置情報が示す位置から所定範囲内に存在する他の携帯端末２０に送信する。
【００５５】
ステップＳ９では、制御部２４（タグ付与部２４５）は、ステップＳ４若しくはステップＳ６で取得されたタグ又はステップＳ７で生成されたタグをミニブログの投稿の内容に付与する。
ステップＳ１０では、制御部２４（投稿内容送信部２５０）は、タグ付与部２４５によりタグが付与され、ユーザにより入力されたつぶやきをミニブログサーバ１０に送信する。
【００５６】
図４は、本実施形態に係る携帯端末２０において、通信を行う他の携帯端末２０が変更されるまでの処理の流れを示すフローチャートである。
【００５７】
ステップＳ２１では、制御部２４は、一定時間にわたって処理の実行を待機する。一定時間は、例えば１分である。
ステップＳ２２では、制御部２４（通信可否判定部２４７）は、ミニブログに投稿を行っている他の携帯端末２０のうち、一の携帯端末２０と近距離通信により通信可能か否かを判定する。制御部２４は、この判定がＹＥＳの場合、処理をステップＳ２１に移し、この判定がＮＯの場合、処理をステップＳ２３に移す。
【００５８】
ステップＳ２３では、制御部２４（端末変更部２４８）は、通信可否の判定を行う対象の携帯端末２０の変更を行う。
【００５９】
本発明によれば、携帯端末２０は、タグ検索部２４２により、他の携帯端末２０において、ミニブログの投稿の際に使用されているタグを検索する。また、携帯端末２０は、タグ検索部２４２がタグを検索できた場合、タグ取得部２４３により、他の携帯端末２０において使用されているタグを取得し、タグ検索部２４２がタグを検索できなかった場合に、タグ生成部２４４により新規にタグを生成する。また、携帯端末２０は、タグ取得部２４３により取得されたタグ又はタグ生成部２４４により生成されたタグを投稿の内容にタグを付与する。よって、携帯端末２０は、ミニブログの投稿の際に、投稿の内容に対して、取得したタグ又は生成したタグを付与できるので、この携帯端末２０のユーザは、このタグを利用して、所定の空間内の他の携帯端末２０からミニブログに投稿されたつぶやきを即座に共有することができる。
【００６０】
また、携帯端末２０は、タグ送信部２４６により、タグ生成部２４４が生成したタグを他の携帯端末２０に送信するので、他の携帯端末２０においてもタグを共有することができる。
【００６１】
また、携帯端末２０は、端末変更部２４８により、一の携帯端末２０に対する通信が可能ではないと判定された場合に、一の携帯端末２０を異なる携帯端末２０に変更する。よって、携帯端末２０は、所定の空間内に存在する複数の携帯端末２０のいずれかを通信可否を行う対象とすることができる。
【００６２】
また、携帯端末２０は、タグ変更部２４９により、通信可否判定部２４７が一の携帯端末２０に対する通信が可能ではないと判定した場合にタグを変更する。つまり、一の携帯端末２０に対する通信が可能ではない場合、この一の携帯端末２０は、所定の空間外に位置する。よって、携帯端末２０は、タグ変更部２４９により、タグを変更することにより、所定の空間外の一の携帯端末２０がタグを知ることができないようにして、所定の空間内で投稿されたつぶやきを閲覧できない状態とすることができる。
【００６３】
また、携帯端末２０は、タグ送信部２４６により、タグ生成部２４４が生成したタグをデジタルサイネージ装置に送信する。よって、デジタルサイネージ装置においても、デジタルサイネージに対してタグを表示できるので、他の携帯端末２０のユーザは、所定の空間において、ミニブログのタグが指定されていることを容易に確認することができる。
【００６４】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【符号の説明】
【００６５】
１  ミニブログシステム
１０  ミニブログサーバ
２０  携帯端末
２１  操作部
２２  表示部
２３  位置情報取得部
２４  制御部
２５  記憶部
２４１  投稿受付部
２４２  タグ検索部
２４３  タグ取得部
２４４  タグ生成部
２４５  タグ付与部
２４６  タグ送信部
２４７  通信可否判定部
２４８  端末変更部
２４９  タグ変更部
２５０  投稿内容送信部
２５１  投稿内容閲覧部
【図１】
2011229019.tif 000003
【図２】
2011229019.tif 000004
【図３】
2011229019.tif 000005
【図４】
2011229019.tif 000006
【図５】
2011229019.tif 000007